(57)【要約】      （修正有）【課題】カーテン用房掛けの部品を大型化することなく、タッセルの落下や紛失を確実に防止するカーテン用房掛けを提供する。【解決手段】カーテン用房掛け１１の取付部１３が窓枠に取付けられ、タッセル１４のリング紐１４ｂを掛ける掛止部１６が取付部１３から突設され、掛止部１６より大径のトップ部１７が掛止部１６に取付けられる。掛止部１６の先端部にタッセル１４のリング紐１４ｂを遊挿可能な切欠き１６ａが形成され、掛止部１６にトップ部１７を取付けることにより切欠き１６ａの開口部が閉止されるように構成される。【選択図】図１
0003143924.tif 000002
【実用新案登録請求の範囲】
【請求項１】
窓枠(12)又は壁面に取付けられる取付部(13)と、前記取付部(13)から突設されタッセル(14)のリング紐(14b)を掛ける掛止部(16)と、前記掛止部(16)に取外し可能に取付けられ前記掛止部(16)より大径のトップ部(17)とを備えたカーテン用房掛けであって、
前記掛止部(16)の先端部に前記タッセル(14)のリング紐(14b)を遊挿可能な切欠き(16a)が形成され、
前記掛止部(16)に前記トップ部(17)を取付けることにより前記切欠き(16a)の開口部が閉止されるように構成された
ことを特徴とするカーテン用房掛け。
【請求項２】
掛止部(16)の先端面から切欠き(16a)の中央を貫くように通穴(16b)が形成され、
トップ部(17)に前記通穴(16b)に挿入可能な突起(18)が設けられ、
前記突起(18)にねじ孔(18a)が形成され、
前記通穴(16b)に前記突起(18)を挿入した状態で前記突起(18)の前記ねじ孔(18a)に対向する位置に透孔(16c)が形成され、
ビス(21)を前記透孔(16c)に通して前記ねじ孔(18a)に螺合することにより前記トップ部(17)が前記掛止部(16)に取付けられた請求項１記載のカーテン用房掛け。
【請求項３】
窓枠(52)又は壁面に取付けられる取付部(53)と、前記取付部(53)に取外し可能に取付けられタッセル(54)のリング紐(54b)を掛ける掛止部(56)と、前記掛止部(56)と一体的に設けられ前記掛止部(56)より大径のトップ部(57)とを備えたカーテン用房掛けであって、
前記掛止部(56)の前記取付部(53)に対向する端部に前記タッセル(54)のリング紐(54b)を遊挿可能な切欠き(56a)が形成され、
前記取付部(53)に前記掛止部(56)を取付けることにより前記切欠き(56a)の開口部が閉止されるように構成された
ことを特徴とするカーテン用房掛け。
【請求項４】
掛止部(56)の取付部(53)に対向する端面から切欠き(56a)の中央を貫くように通穴(56b)が形成され、
取付部(53)に前記通穴(56b)に挿入可能な突起(58)が設けられ、
前記突起(58)にねじ孔(58a)が形成され、
前記突起(58)に前記通穴(56b)を嵌入した状態で前記突起(58)の前記ねじ孔(58a)に対向する位置に透孔(56c)が形成され、
ビス(61)を前記透孔(56c)に通して前記ねじ孔(58a)に螺合することにより前記掛止部(56)が前記取付部(53)に取付けられた請求項３記載のカーテン用房掛け。
【考案の詳細な説明】
【技術分野】
【０００１】
本考案は、窓の側縁を形成する窓枠近傍でカーテンを束ねて保持するための房掛けに関するものである。
【背景技術】
【０００２】
従来、カーテン用房掛けとして、窓枠等に固定するための基台部と、タッセルを掛止めするためのアーム部とを備えたカーテン用房掛けが開示されている（例えば、特許文献１参照。）。このカーテン用房掛けでは、基台部とアーム部とが別体に設けられるとともに、基台部にタッセルを掛けることが可能なアーム受けが設けられる。またアーム受け又はアーム部のいずれか一方又は双方に、アーム部をアーム受けに支持固定可能とするとともに、アーム受けに掛けられたタッセルの脱落を阻止する固定手段が設けられる。更に固定手段が、アーム受けの先端部に設けられた支持孔と、この支持孔に挿通固定可能としたアーム部とで構成される。
【０００３】
このように構成されたカーテン用房掛けでは、タッセルの一端側の掛止環が、アーム受けの基端部に掛けられ、タッセルの他端側の掛止環がアーム部に掛けられるので、掛止環の取外し作業に対し、一端側の掛止環が緩衝せず、他端側の掛止環の取外し作業を常に迅速かつ容易に行うことができる。またタッセルの一端側の掛止環が、アーム部をアーム受けから抜かない限りアーム受けから外れないので、他端側の掛止環をアーム部から取外す際に、一端側の掛止環が一緒に外れることはない。更にアーム部が基台部の前方に基台部を覆うようにアーム受けに支持されるので、基台部を窓枠に固定するビスがアーム部で覆い隠されて、美観を向上できるようになっている。
【特許文献１】特開平１１−１６９２８４号公報（請求項１及び２、段落［００１６］、図１〜図４）
【考案の開示】
【考案が解決しようとする課題】
【０００４】
しかし、上記従来の特許文献１に示されたカーテン用房掛けでは、タッセルの一端側の掛止環がアーム受けから外れないようにするために、アーム部を比較的長くしなければならず、このアーム部が室内への家具の配置の邪魔になったり、窓の近くでの作業時に作業者の体が比較的大きなアーム部に接触し易くなる問題点があった。
本考案の目的は、部品を大型化することなく、タッセルの落下や紛失を確実に防止できる、カーテン用房掛けを提供することにある。
【課題を解決するための手段】
【０００５】
請求項１に係る考案は、図１〜図３に示すように、窓枠１２又は壁面に取付けられる取付部１３と、取付部１３から突設されタッセル１４のリング紐１４ｂを掛ける掛止部１６と、掛止部１６に取外し可能に取付けられ掛止部１６より大径のトップ部１７とを備えたカーテン用房掛けであって、掛止部１６の先端部にタッセル１４のリング紐１４ｂを遊挿可能な切欠き１６ａが形成され、掛止部１６にトップ部１７を取付けることにより切欠き１６ａの開口部が閉止されるように構成されたことを特徴とするカーテン用房掛けである。
請求項２に係る考案は、請求項１に係る考案であって、図１〜図３に示すように、掛止部１６の先端面から切欠き１６ａの中央を貫くように通穴１６ｂが形成され、トップ部１７に通穴１６ｂに挿入可能な突起１８が設けられ、突起１８にねじ孔１８ａが形成され、通穴１６ｂに突起１８を挿入した状態で突起１８のねじ孔１８ａに対向する位置に透孔１６ｃが形成され、ビス２１を透孔１６ｃに通してねじ孔１８ａに螺合することによりトップ部１７が掛止部１６に取付けられたことを特徴とする。
【０００６】
請求項３に係る考案は、図４〜図６に示すように、窓枠５２又は壁面に取付けられる取付部５３と、取付部５３に取外し可能に取付けられタッセル５４のリング紐５４ｂを掛ける掛止部５６と、掛止部５６と一体的に設けられ掛止部５６より大径のトップ部５７とを備えたカーテン用房掛けであって、掛止部５６の取付部５３に対向する端部にタッセル５４のリング紐５４ｂを遊挿可能な切欠き５６ａが形成され、取付部５３に掛止部５６を取付けることにより切欠き５６ａの開口部が閉止されるように構成されたことを特徴とするカーテン用房掛けである。
請求項４に係る考案は、請求項３に係る考案であって、図４〜図６に示すように、掛止部５６の取付部５３に対向する端面から切欠き５６ａの中央を貫くように通穴５６ｂが形成され、取付部５３に通穴５６ｂに挿入可能な突起５８が設けられ、突起５８にねじ孔５８ａが形成され、突起５８に通穴５６ｂを嵌入した状態で突起５８のねじ孔５８ａに対向する位置に透孔５６ｃが形成され、ビス６１を透孔５６ｃに通してねじ孔５８ａに螺合することにより掛止部５６が取付部５３に取付けられたことを特徴とする。
【考案の効果】
【０００７】
請求項１に係る考案では、カーテン用房掛けの取付部を窓枠等に取付け、タッセルの一方のリング紐を掛止部の切欠きに遊挿した後に、トップ部を掛止部に取付けると、上記切欠きの開口部がトップ部により閉止されるので、一方のリング紐が房掛けから外れなくなる。この結果、タッセルの他方のリング紐を掛止部に掛けたり或いは掛止部から外しても、タッセルが房掛けから落下することがなく、タッセルの紛失を確実に防止できる。またタッセルの一端側の掛止環がアーム受けから外れないように、アーム部を比較的長く形成したため、アーム部が家具の配置の邪魔になったり、或いは窓の近くでの作業時に作業者の体が比較的大きなアーム部に接触し易くなる問題点のあった従来のカーテン用房掛けと比較して、本考案では、トップ部がタッセルの他方のリング紐を嵌入できるように比較的小径に形成されているので、トップ部が家具の配置の邪魔になることはなく、また窓の近傍で作業しても作業者の体がトップ部に接触し難いという利点がある。
【０００８】
請求項３に係る考案では、カーテン用房掛けの取付部を窓枠等に取付け、タッセルの一方のリング紐を掛止部の切欠きに遊挿した後に、この掛止部をトップ部とともに取付部に取付けると、上記切欠きの開口部が取付部により閉止されるので、一方のリング紐が房掛けから外れなくなる。この結果、タッセルの他方のリング紐を掛止部に掛けたり或いは掛止部から外しても、タッセルが房掛けから落下することがなく、タッセルの紛失を確実に防止できる。
【考案を実施するための最良の形態】
【０００９】
次に本考案を実施するための最良の形態を図面に基づいて説明する。
＜第１の実施の形態＞
図１及び図２に示すように、カーテン用房掛け１１は、窓枠１２の室内側の面に取付けられる取付部１３と、取付部１３から突設されタッセル１４のリング紐１４ｂを掛ける掛止部１６と、掛止部１６に取外し可能に取付けられ掛止部１６より大径のトップ部１７とを備える。取付部１３は円板状に形成され、掛止部１６は円筒状に形成され、これら取付部１３及び掛止部１６は亜鉛ダイキャストやアルミダイキャスト等により一体的に成形される。また掛止部１６の先端部にはタッセル１４のリング紐１４ｂを遊挿可能な切欠き１６ａが形成される。この切欠き１６ａは掛止部１６の中心より所定の距離だけ上方に遍倚した位置に水平方向に延びて形成される（図１及び図３）。更に掛止部１６の先端面からは切欠き１６ａの中央を貫くように掛止部１６の軸芯に沿って延びる通穴１６ｂが形成され（図１〜図３）、取付部１３の中央には取付孔１３ａが形成される（図１及び図２）。上記通穴１６ｂの断面は下部が四角形状であって上部が円弧状に形成される（図１及び図３）。取付孔１３はタッピングねじ１９を挿通可能な孔であって、上記通穴１６ｂを臨むように形成される。なお、上記通穴１６ｂの上部の断面を円弧状に形成したのは、タッピングねじ１９の頭部１９ａを通穴１６ｂに挿入できるようにするためである。
【００１０】
一方、トップ部１７には通穴１６ｂに挿入可能な突起１８が設けられ、この突起１８は亜鉛ダイキャストやアルミダイキャスト等によりトップ部１７と一体的に成形される（図１〜図３）。この突起１８は四角柱状に形成される。上記通穴１６ｂの下部の断面を四角形状に形成したのは、突起１８を通穴１６ｂに挿入できるようにするとともに、突起１８の下面を通穴１６ｂの内底面に密着させるためである。またトップ部１７には、突起１８の基端に位置しかつ掛止部１６の通穴１６ｂの断面形状に相応した形状、即ち下部が四角形状であって上部が円弧状に形成された凸部１７ａが設けられる（図２）。この凸部１７ａは、突起１８を通穴１６ｂに挿入していったときに、この凸部１８も通穴１６ｂに挿入されて、突起１８が掛止部１６に対して回転するのを阻止して、回転方向の位置決めをするために設けられる。更に突起１８にはビス２１を螺合可能なねじ孔１８ａが形成され（図１〜図３）、掛止部１６の下面には通穴１６ｂに突起１８を挿入した状態で突起１８のねじ孔１６に対向する位置に透孔１６ｃが形成される（図２及び図３）。ビス２１を透孔１６ｃに通してねじ孔１８ａに螺合することによりトップ部１７が掛止部１６に取付けられる。これにより掛止部１６の切欠き１６ａの開口部が閉止されるように構成される。なお、カーテンを束ねるタッセル１４は、この実施の形態では、カーテンに巻き付けられる房部１４ａと、房部１４ａの両端に設けられた一対のリング紐１４ｂ，１４ｂと、房部１４ａに所定の間隔をあけて嵌入された略球状の装飾部材１４ｃとを有する（図１）。一方のリング紐１４ｂは掛止部１６の切欠き１６ａに遊挿され、他方のリング紐１４ｂは掛止部１６に掛けられる。また房部１４ａと一対のリング紐１４ｂ，１４ｂとは金属の線条により一体的に形成され、装飾部材１４ｃは透明又は半透明のプラスチックやガラス等により形成される。
【００１１】
このように構成されたカーテン用房掛け１１の窓枠１２への組付方法を説明する。先ずタッピングねじ１９を房掛け１１の取付部１３の取付孔１３ａに通した後に、窓枠１２にねじ込むことにより、取付部１３をこの取付部１３と一体成形された掛止部１６とともに窓枠１２に取付ける。次にタッセル１４の一方のリング紐１４ｂを掛止部１６の切欠き１６ａに遊挿した後に、掛止部１６の通穴１６ｂに突起１８を挿入する。更にビス２１を掛止部１６の透孔１６ｃに通した後に突起１８のねじ孔１８ａに螺合すると、トップ部１７が掛止部１６に取付けられる。これにより掛止部１６の切欠き１６ａの開口部がトップ部１７にて閉止されるので、一方のリング紐１４ｂが房掛け１１から外れなくなる。この結果、タッセル１４の他方のリング紐１４ｂを掛止部１６に掛けたり或いは掛止部１６から外しても、一方のリング紐１４ｂは房掛け１１から外れないので、タッセル１４が房掛け１１から落下せず、タッセル１４の紛失を確実に防止できる。
【００１２】
＜第２の実施の形態＞
図４〜図６は本考案の第２の実施の形態を示す。この実施の形態では、カーテン用房掛け５１は、窓枠５２の室内側の面に取付けられる取付部５３と、取付部５３に取外し可能に取付けられタッセル５４のリング紐５４ｂを掛ける掛止部５６と、掛止部５６と一体的に設けられ掛止部５６より大径のトップ部５７とを備える。取付部５３は亜鉛ダイキャストやアルミダイキャスト等により円板状に形成され、この取付部５３の中央上部には取付孔５３ａが形成される（図４及び図５）。この取付孔５３ａにはタッピングねじが挿通される。
【００１３】
掛止部５６は円筒状に形成され、この掛止部５６は亜鉛ダイキャストやアルミダイキャスト等によりトップ部５７と一体的に成形される。また掛止部５６の先端部、即ち掛止部５６の取付部５３に対向する端部には、タッセル５４のリング紐５４ｂを遊挿可能な切欠き５６ａが形成される。この切欠き５６ａは掛止部５６の中心より所定の距離だけ上方に遍倚した位置に水平方向に延びて形成される（図４及び図６）。更に掛止部５６の先端面からは切欠き５６ａの中央を貫くように掛止部５６の軸芯に沿って延びる通穴５６ｂが形成され（図４〜図６）、上記通穴５６ｂの断面は下部が四角形状であって上部が円弧状に形成される（図４及び図６）。
【００１４】
一方、取付部５３には、通穴５６ｂに挿入可能な四角柱状の突起５８が取付部５３と一体的に設けられる（図４〜図６）。上記通穴５６ｂの下部の断面を四角形状に形成したのは、通穴５６ｂを突起５８に嵌入できるようにするとともに、突起５８の下面を通穴５６ｂの内底面に密着させるためである。また突起５８にはビス６１を螺合可能なねじ孔５８ａが形成され（図４〜図６）、掛止部５６の下面には突起５８に通穴５６ｂを嵌入した状態で突起５８のねじ孔５８ａに対向する位置に透孔５６ｃが形成される（図５及び図６）。ビス６１を透孔５６ｃに通してねじ孔５８ａに螺合することによりトップ部５７が掛止部５６とともに取付部５３に取付けられる。これにより掛止部５６の切欠き５６ａの開口部が取付部５３にて閉止されるように構成される。なお、カーテンを束ねるタッセル５４は、この実施の形態では、カーテンに巻き付けられる房部５４ａと、この房部５４ａの両端に設けられた一対のリング紐５４ｂ，５４ｂとを有する（図４）。一方のリング紐５４ｂは掛止部５６の切欠き５６ａに遊挿され、他方のリング紐５４ｂは掛止部５６に掛けられる。また房部５４ａは帯状の布により形成され、一対のリング紐５４ｂ，５４ｂは合成繊維を編んで形成される。図４及び図５の符号５６ｄは掛止部５６がタッピングねじ５９の頭部５９ａと干渉するのを防止するために、掛止部５６に形成された凹部である。
【００１５】
このように構成されたカーテン用房掛け５１の窓枠５２への組付方法を説明する。先ずタッピングねじ６１を房掛け５１の取付部５３の取付孔５３ａに通した後に、窓枠５２にねじ込むことにより、取付部５３を窓枠５２に取付ける。次にタッセル５４の一方のリング紐５４ｂを掛止部５６の切欠き５６ａに遊挿した後に、取付部５３の突起５８に掛止部５６の通穴５６ｂを嵌入する。更にビス５９を掛止部５６の透孔５６ｃに通した後に突起５８のねじ孔５８ａに螺合すると、掛止部５６がこの掛止部５６と一体成形されたトップ部５７とともに取付部５３に取付けられる。これにより掛止部５６の切欠き５６ａの開口部が取付部５３にて閉止されるので、一方のリング紐５４ｂが房掛け５１から外れなくなる。この結果、タッセル５４の他方のリング紐５４ｂを掛止部５６に掛けたり或いは掛止部５６から外しても、一方のリング紐５４ｂは房掛け５１から外れないので、タッセル５４が房掛け５１から落下せず、タッセル５４の紛失を確実に防止できる。なお、上記第１及び第２の実施の形態では、カーテン用房掛けの取付部を窓枠の室内側の面に取付けたが、カーテン用房掛けの取付部を室内の壁面に取付けてもよい。
【図面の簡単な説明】
【００１６】
【図１】本考案第１実施形態のカーテン用房掛けの掛止部の切欠きにタッセルのリング紐を遊挿した状態を示す分解斜視図である。
【図２】そのカーテン用房掛けを窓枠に取付けた状態を示す縦断面図である。
【図３】図２のＡ−Ａ線断面図である。
【図４】本考案第２実施形態のカーテン用房掛けの掛止部の切欠きにタッセルのリング紐を遊挿した状態を示す分解斜視図である。
【図５】そのカーテン用房掛けを窓枠に取付けた状態を示す縦断面図である。
【図６】図５のＢ−Ｂ線断面図である。
【符号の説明】
【００１７】
１１，５１  房掛け
１２，５２  窓枠
１３，５３  取付部
１４，５４  タッセル
１４ｂ，５４ｂ  リング紐
１６，５６  掛止部
１６ａ，５６ａ  切欠き
１６ｂ，５６ｂ  通穴
１６ｃ，５６ｃ  透孔
１７，５７  トップ部
１８，５８  突起
１８ａ，５８ａ  ねじ孔
２１，６１  ビス
【図１】
0003143924.tif 000003
【図２】
0003143924.tif 000004
【図３】
0003143924.tif 000005
【図４】
0003143924.tif 000006
【図５】
0003143924.tif 000007
【図６】
0003143924.tif 000008